(57)【要約】【課題】系統制約や入札条件の相違による取引結果の違いを容易にシミュレートすることができ、その結果を容易に把握できるように表示する。【解決手段】少なくとも電力量の供給側と需要側の入札情報と、発電機データ、電力系統データ、需要データの入力を受け付けるデータ入力手段と、前記入力データ一式を１つのシナリオとして登録し、管理するシナリオ設定手段と、種々の演算結果を画面上に表示する表示手段と、あるシナリオに基づいてシミュレートした市場取引結果である電力価格及び電力取引量を算出する演算手段と、前記データ入力手段によって入力された入力データと、前記演算手段による演算結果と、前記シナリオ設定手段によって作成・登録されたシナリオのそれぞれを保存するデータ保存手段とを備える。【選択図】  図１
2005025377.tif 000002
【特許請求の範囲】
【請求項１】
電力市場において取引される電力取引価格を予測する電力取引価格予測システムであって、
少なくとも電力量の供給側と需要側の入札情報と、発電機データ、電力系統データ、需要データの入力を受け付けるデータ入力手段と、
前記入力データ一式を１つのシナリオとして登録し、管理するシナリオ設定手段と、
種々の演算結果を表示する表示手段と、
あるシナリオに基づいてシミュレートした市場取引結果である電力価格及び電力取引量を算出する演算手段と、
前記データ入力手段によって入力された入力データと、前記演算手段による演算結果と、前記シナリオ設定手段によって作成・登録されたシナリオのそれぞれを保存するデータ保存手段と、
を有することを特徴とする電力取引価格予測システム。
【請求項２】
前記シナリオ設定手段が、前記入力データ一式からなるシナリオを作成し、前記データ保存手段に登録する作成・登録部と、データ保存手段に登録されているシナリオの中から所望のシナリオを選択する選択部とを有することを特徴とする請求項１に記載の電力取引価格予測システム。
【請求項３】
前記シナリオ設定手段が、比較するシナリオを選択する比較シナリオ選択部を備え、前記表示手段が、複数のシナリオに基づく演算結果を対比して表示するように構成されていることを特徴とする請求項２に記載の電力取引価格予測システム。
【請求項４】
実際の市場取引結果を取り込む市場データ取得手段を備え、前記表示手段が、前記シナリオに基づく演算結果と実際の市場取引結果とを対比して表示するように構成されていることを特徴とする請求項１乃至請求項３のいずれか一に記載の電力取引価格予測システム。
【請求項５】
前記表示手段が、電力系統構成図に各地域別の落札価格と、各送電線の潮流を表示することを特徴とする請求項１乃至請求項４のいずれか一に記載の電力取引価格予測システム。
【請求項６】
前記表示手段が、電力の取引量ごとの発電側入札価格と需要側入札価格を示す入札データを示す図を表示することを特徴とする請求項１乃至請求項４のいずれか一に記載の電力取引価格予測システム。
【請求項７】
前記表示手段が、電力の取引量と需給の時間変化を示す需給曲線図を表示することを特徴とする請求項１乃至請求項４のいずれか一に記載の電力取引価格予測システム。
【請求項８】
前記表示手段が、各地域別の落札価格と各送電線の潮流を表示する電力系統構成図と、入札データを示す図と、電力の取引量と需給の時間変化を示す需給曲線を示す図を対比表示することを特徴とする請求項１乃至請求項４のいずれか一に記載の電力取引価格予測システム。
【請求項９】
前記表示手段が、取引時刻断面ごとの結果を、連続してアニメーション表示することを特徴とする請求項１乃至請求項４のいずれか一に記載の電力取引価格予測システム。
【請求項１０】
電力市場において取引される電力取引価格を予測する電力取引価格予測方法であって、
少なくとも電力量の供給側と需要側の入札情報と、発電機データ、電力系統データ、需要データの入力を受け付け、入力されたデータ一式を１つのシナリオとして登録し、そのシナリオに基づいてシミュレートした市場取引結果である電力価格及び電力取引量を算出し、その演算結果を表示することを特徴とする電力取引価格予測方法。
【請求項１１】
登録されている複数のシナリオの中から所望のシナリオを選択し、このシナリオに基づいてシミュレートした市場取引結果である電力価格及び電力取引量を算出し、その演算結果を表示することを特徴とする請求項１０に記載の電力取引価格予測方法。
【請求項１２】
登録されている複数のシナリオの中から比較したいシナリオをさらに選択し、複数のシナリオに基づく演算結果を対比して表示することを特徴とする請求項１１に記載の電力取引価格予測方法。
【請求項１３】
実際の市場取引結果を取得して、前記シナリオに基づく演算結果と実際の市場取引結果とを対比して表示することを特徴とする請求項１０乃至請求項１２のいずれか一に記載の電力取引価格予測方法。
【請求項１４】
コンピュータを制御することにより、電力市場における取引価格を予測する電力取引価格予測用プログラムであって、
そのプログラムは前記コンピュータに、
少なくとも電力量の供給側と需要側の入札情報と、発電機データ、電力系統データ、需要データの入力を受け付けるステップと、
入力されたデータ一式を１つのシナリオとして登録するステップと、
あるシナリオに基づいてシミュレートした市場取引結果である電力価格及び電力取引量を算出するステップと、
種々の演算結果を表示するステップと、
を実行させるものであることを特徴とする電力取引価格予測用プログラム。
【発明の詳細な説明】
【０００１】
【発明の属する技術分野】
本発明は、電力市場において取引される電力取引価格を予測して、最適な入札計画を作成することができるようにした電力取引価格予測システム、電力取引価格予測方法及び電力取引価格予測用プログラムに関するものである。
【０００２】
【従来の技術】
近時、わが国でも卸電力取引市場の開設が予定されており、市場運営側のみならず市場参加者の側でも、入札戦略や系統条件等が電力価格にどのような影響を与えるのかを正しく理解することが重要となる。このため、電力市場の基本機能を計算機上で仮想的に実現するツールとしてのシミュレータが必要である。
【０００３】
このような市場における取引機能を実現するシステムやシミュレータとしては、金融市場あるいは商品の取引市場を対象としたものが一般的である（例えば、特許文献１）。これらのシステムでは、供給と需要に基づいて最適な取引量と価格が決定される。図１６は、供給と需要の入札曲線を示したものであるが、この図に示すように、供給価格の安い方と需要価格の高い方から、それぞれ入札量を積み上げ、価格が均衡した点で落札される。
【０００４】
【特許文献１】
特開２００３−４４６６５号公報
【０００５】
【発明が解決しようとする課題】
ところで、電力は、需給が均衡していないと流通ができないという特性を有するため、電力系統の構成や運用上の制約（送電線容量、安定度、発電機の起動・停止時間等）を考慮した値決めを行う必要がある。そのため、従来の金融取引や商品取引システムと同様のシステム構成では、上記のような特性を有する電力取引市場としての機能を、計算機上で仮想的に実現することができなかった。
【０００６】
そこで、諸外国の電力取引市場では、実際の取引日の１日前に、翌日（取引日）の需要予測に基づいた入札を行い、送電線の混雑発生や発電機の起動・停止時間の制約を考慮した１日分の決済を行い、１日前に翌日の需給計画を確定する方法が採用されている。この場合、電力取引量と価格の決定方法は、制約つきの最適化問題として解くことができるが、種々の制約条件があるため、価格だけでは一意的に取引が決定されず、地域による取引価格に差が生じることがある。
【０００７】
また、通常、市場では、１時間または３０分等の単位時間ごとの取引となるため、市場参加者は、刻々と変化する系統条件を考慮に入れつつ、最適な入札戦略を立てる必要がある。そのため、入札条件の違いが電力価格とどのように関わるのかといった傾向を、正確且つ容易に把握することができる取引価格予測システムの開発が切望されていた。
【０００８】
本発明は、上述したような従来技術に対処して提案されたものであって、その目的は、系統制約や入札条件の相違による取引結果の違いを容易にシミュレートすることができ、そのシミュレーション結果を容易に把握できるように表示することができる電力取引価格予測システム、電力取引価格予測方法及び電力取引価格予測用プログラムを提供することにある。
【０００９】
【課題を解決するための手段】
上記の目的を達成するため、請求項１に記載の発明は、電力市場において取引される電力取引価格を予測する電力取引価格予測システムであって、少なくとも電力量の供給側と需要側の入札情報と、発電機データ、電力系統データ、需要データの入力を受け付けるデータ入力手段と、前記入力データ一式を１つのシナリオとして登録し、管理するシナリオ設定手段と、種々の演算結果を表示する表示手段と、あるシナリオに基づいてシミュレートした市場取引結果である電力価格及び電力取引量を算出する演算手段と、前記データ入力手段によって入力された入力データと、前記演算手段による演算結果と、前記シナリオ設定手段によって作成・登録されたシナリオのそれぞれを保存するデータ保存手段とを有することを特徴とするものである。
【００１０】
請求項１０に記載の発明は、請求項１に記載の発明を方法の観点から捉えたものであって、電力市場において取引される電力取引価格を予測する電力取引価格予測方法であって、少なくとも電力量の供給側と需要側の入札情報と、発電機データ、電力系統データ、需要データの入力を受け付け、入力されたデータ一式を１つのシナリオとして登録し、そのシナリオに基づいてシミュレートした市場取引結果である電力価格及び電力取引量を算出し、その演算結果を表示することを特徴とするものである。
【００１１】
請求項１４に記載の発明は、請求項１０に記載の発明をコンピュータプログラムという観点で捉えたものであって、コンピュータを制御することにより、電力市場における取引価格を予測する電力取引価格予測用プログラムであって、そのプログラムは前記コンピュータに、少なくとも電力量の供給側と需要側の入札情報と、発電機データ、電力系統データ、需要データの入力を受け付けるステップと、入力されたデータ一式を１つのシナリオとして登録するステップと、あるシナリオに基づいてシミュレートした市場取引結果である電力価格及び電力取引量を算出するステップと、種々の演算結果を表示するステップとを実行させるものであることを特徴とする。
【００１２】
上記のような構成を有する請求項１、請求項１０及び請求項１４の発明によれば、新たに作成したシナリオ、あるいはすでに登録したシナリオに基づいて算出した電力取引価格と取引量を画面上等に表示することにより、ユーザは、入札条件を変更した場合の電力取引と系統の状況を容易に把握することができるようになるので、最適な入札戦略を容易に立てることができる。
【００１３】
請求項２に記載の発明は、請求項１に記載の電力取引価格予測システムにおいて、前記シナリオ設定手段が、前記入力データ一式からなるシナリオを作成し、前記データ保存手段に登録する作成・登録部と、データ保存手段に登録されているシナリオの中から所望のシナリオを選択する選択部とを有することを特徴とするものである。
【００１４】
また、請求項１１に記載の発明は、請求項２に記載の発明を方法の観点から捉えたものであって、請求項１０に記載の電力取引価格予測方法において、登録されている複数のシナリオの中から所望のシナリオを選択し、このシナリオに基づいてシミュレートした市場取引結果である電力価格及び電力取引量を算出し、その演算結果を表示することを特徴とするものである。
【００１５】
上記のような構成を有する請求項２又は請求項１１の発明によれば、新たに作成したシナリオ、あるいはすでに登録したシナリオに基づいて算出した電力取引価格と取引量を画面上に表示することにより、ユーザは、入札条件を変更した場合の電力取引と系統の状況を容易に把握することができるようになるので、最適な入札戦略を容易に立てることができる。
【００１６】
請求項３に記載の発明は、請求項２に記載の電力取引価格予測システムにおいて、前記シナリオ設定手段が、比較するシナリオを選択する比較シナリオ選択部を備え、前記表示手段が、複数のシナリオに基づく演算結果を対比して表示するように構成されていることを特徴とするものである。
【００１７】
また、請求項１２に記載の発明は、請求項３に記載の発明を方法の観点から捉えたものであって、請求項１１に記載の電力取引価格予測方法において、登録されている複数のシナリオの中から比較したいシナリオをさらに選択し、複数のシナリオに基づく演算結果を対比して表示することを特徴とするものである。
【００１８】
上記のような構成を有する請求項３又は請求項１２の発明によれば、異なるシナリオに基づく演算結果を対比させて表示することにより、ユーザが入札条件や系統制約を変更した場合に、これらの変更や制約が電力取引にどのように影響するのかを容易に把握・評価することができるようになる。
【００１９】
請求項４に記載の発明は、請求項１乃至請求項３のいずれか一に記載の電力取引価格予測システムにおいて、実際の市場取引結果を取り込む市場データ取得手段を備え、前記表示手段が、前記シナリオに基づく演算結果と実際の市場取引結果とを対比して表示するように構成されていることを特徴とするものである。
【００２０】
また、請求項１３に記載の発明は、請求項４に記載の発明を方法の観点から捉えたものであって、請求項１０乃至請求項１２のいずれか一に記載の電力取引価格予測方法において、実際の市場取引結果を取得して、前記シナリオに基づく演算結果と実際の市場取引結果とを対比して表示することを特徴とするものである。
【００２１】
上記のような構成を有する請求項４又は請求項１３の発明によれば、実際の市場データを取得して、シナリオに基づくシミュレーション結果と共に表示することにより、シナリオに基づく予測結果と実際の市場取引の結果とを容易に比較することができる。また、本発明に係る取引価格予測システムを用いて得られた予測結果と、実際の市場取引の結果との整合性の評価を、タイムリーに行うこともできる。
【００２２】
請求項５に記載の発明は、請求項１乃至請求項４のいずれか一に記載の電力取引価格予測システムにおいて、前記表示手段が、電力系統構成図に各地域別の落札価格と、各送電線の潮流を表示することを特徴とする。
【００２３】
請求項６に記載の発明は、請求項１乃至請求項４のいずれか一に記載の電力取引価格予測システムにおいて、前記表示手段が、電力の取引量ごとの発電側入札価格と需要側入札価格を示す入札データを示す図を表示することを特徴とする。
【００２４】
請求項７に記載の発明は、請求項１乃至請求項４のいずれか一に記載の電力取引価格予測システムにおいて、前記表示手段が、電力の取引量と需給の時間変化を示す需給曲線図を表示することを特徴とする。
【００２５】
請求項８に記載の発明は、請求項１乃至請求項４のいずれか一に記載の電力取引価格予測システムにおいて、前記表示手段が、各地域別の落札価格と各送電線の潮流を表示する電力系統構成図と、入札データを示す図と、電力の取引量と需給の時間変化を示す需給曲線を示す図を対比表示することを特徴とする。
【００２６】
請求項９に記載の発明は、請求項１乃至請求項４のいずれか一に記載の電力取引価格予測システムにおいて、前記表示手段が、取引時刻断面ごとの結果を、連続してアニメーション表示することを特徴とする。
【００２７】
上記のような構成を有する請求項５〜請求項９の発明によれば、ユーザが、シミュレーション結果を容易に把握することができるようになる。
【００２８】
【発明の実施の形態】
以下、本発明に係る電力取引価格予測システムの実施の形態を、図面を参照して具体的に説明する。
【００２９】
（１）第１実施形態
（１−１）構成
図１は、本発明に係る電力取引価格予測システムの第１実施形態の構成を示すブロック図である。
すなわち、この電力取引価格予測システムは、電力取引に必要な入札価格と電力量の供給側と需要側の入札情報と、発電機データ、電力系統データ、需要データ等の種々のデータの入力を受け付けるデータ入力手段１と、これらの入力データ一式を１つのシナリオとして登録し、管理するシナリオ設定手段２と、種々の演算結果を画面上に表示する表示手段３と、あるシナリオに基づいてシミュレートした市場取引結果である電力価格及び電力取引量を算出する演算手段４と、前記データ入力手段１によって入力された入力データと、前記演算手段４による演算結果と、前記シナリオ設定手段２によって作成・登録されたシナリオのそれぞれを保存するデータ保存手段５と、前記データ入力手段１、シナリオ設定手段２及び表示手段３から成るインターフェース６から構成されている。
【００３０】
なお、前記インターフェース６は、ユーザが、必要なデータ入力や結果の表示を行うもので、キーボード、マウス、ディスプレイ等の装置、あるいはインターネット等の通信を介した入出力手段等が相当する。
また、データ入力手段１によって入力を受け付けるデータの一例として、例えば、発電機データとしては、発電機の定格出力や、一日の起動・停止時間等に関するデータが例示できる。また、需要データは、予め予測される１日分の電力需要量に関するデータを含むとしても良い。
【００３１】
さらに、前記シナリオ設定手段２は、入力データ一式からなるシナリオを作成し、データ保存手段５に登録する作成・登録部２１と、データ保存手段５に登録されているシナリオの中から所望のシナリオを選択する選択部２２とを有している。なお、このシナリオとしては、例えば、基準となるデータ一式からなる「基準シナリオ」や、燃料費が高騰した時のデータ一式からなる「価格高騰シナリオ」等がある。このように複数のシナリオを登録しておくことにより、ユーザの与える入札条件や系統制約を変更した場合のシミュレーション結果を、容易に比較検討することができる。
【００３２】
また、演算手段４は、上記発電機データ、電力系統データ、需要データ等の各データと、１日分の入札データに基づいて、発電機の起動・停止時間、送電線混雑度合い等の系統制約を考慮した１日分の電力価格と電力取引量を算出する。この場合、種々のシナリオに基づいて、それぞれ別個のシミュレーション結果を算出することができるようになっている。また、これらの入力データと演算結果は保存手段５に保存され、演算結果とその計算条件は、表示手段３によりディスプレイ等の画面上に図表として表示されるように構成されている。
【００３３】
（１−２）作用
図２は、本実施形態の電力取引価格予測システムを用いた場合の、データ入力から結果表示までの処理手順を示したフローチャートである。
【００３４】
まず、ステップＳ２０１において、新たなシナリオを作成するか否かを判断し、新たなシナリオを作成する場合には、データ入力手段１によりデータ入力を行い（ステップＳ２０２）、シナリオ設定手段２により新たなシナリオを作成し、データ保存手段５に登録する（ステップＳ２０３）。
【００３５】
一方、ステップＳ２０１において新たなシナリオを作成しないと判断した場合には、ステップＳ２０４に進み、シナリオ設定手段２により、データ保存手段５に登録されているシナリオの中から所望のシナリオを選択する。
【００３６】
そして、作成・登録あるいは選択したシナリオに基づくシミュレーション結果として、演算手段４により電力の取引価格と取引量を算出し（ステップＳ２０５）、この演算結果をデータ保存手段５に保存する（ステップＳ２０６）。続いて、表示手段３により演算結果とその計算条件を表示する（ステップＳ２０７）。
【００３７】
さらに、計算条件を変更して別のシミュレーションを実行するために、ステップＳ２０８において、データを変更・修正するか否かを判断し、データを変更・修正する場合には、ステップＳ２０２へ戻り、データ入力手段１によりデータの変更・修正を行う。一方、ステップＳ２０８においてデータを変更・修正しないと判断した場合には、ステップＳ２０９に進み、シナリオを変更するか否かを判断する。シナリオを変更する場合には、ステップＳ２０４へ戻り、データ保存手段５に登録された別のシナリオを選択し、ステップＳ２０５〜Ｓ２０９までの処理を繰り返す。一方、ステップＳ２０９において、シナリオを変更しない場合には、所望のシミュレーション結果が得られたとして、本システムを用いた処理を終了する。
【００３８】
（１−３）効果
以上のように、本実施形態によれば、電力取引量、入札価格、発電機データ、電力系統データ、需要データ等の種々のデータを入力して作成したシナリオ、あるいはすでに登録したシナリオに基づいて算出した電力取引価格と取引量を画面上に表示することにより、ユーザは、入札条件を変更した場合の電力取引と系統の状況を容易に把握することができるようになる。その結果、ユーザが翌日の電力需給計画を決定するに際して、容易に最適な入札戦略を立てることができる。
【００３９】
（１−４）画面表示例−１
続いて、本実施形態の電力取引価格予測システムにおける画面表示例について説明する。
図３は、前記表示手段３によって表示された電力系統構成図７の一例を示す図であって、データ入力手段１を介して入力された電力系統データに基づく各地域（Ａ〜Ｆ）間の送電線の配置関係が示されている。また、この電力系統構成図７においては、演算手段４による演算結果である「ある時刻の各地域別の落札価格」と「潮流の向き」を送電線に表示している。なお、送電線は、混雑度合いに応じて、混雑度が高いほうから赤、黄、青等の色分け表示を行い、あるいは混雑度に応じて表示される送電線の太さを変えることとし、また、潮流の向きを送電線に表示することで、直感的にわかり易い表示としている。また、落札価格は、地域ごとに数値を示すと共に、各地域に棒グラフで色分けして高さで示している。
【００４０】
図３に示したように、電力系統図上に、送電線の混雑状態や潮流の向きと対比して電力取引価格を表示することにより、ユーザは、ある入札条件に対して、送電線の混雑度合い等の制約が落札結果にどのように影響するか、その因果関係を容易に把握することができるようになる。
【００４１】
（１−５）画面表示例−２
図４は、前記表示手段３によって表示された入札曲線図８であり、ある時刻における全ての入札価格を示している。なお、図４では、入札が供給側だけの例を示している。最適な取引量と価格は、図中の供給と需要が一致する価格均衡点により決まる。なお、図４の入札曲線図８は、全入札についてソートした結果を示しているが、入札曲線は地域別に表示、またはユーザ別に表示しても良い。また、前記表示手段３は、演算結果として、落札価格や取引量等の情報を具体的な数値（例えば、落札価格：８円／ｋＷｈ、取引量：２４０００ＭＷ）として表示することもできる。
【００４２】
また、図５は、他の地域と送電線により連系している場合を説明する、ある地域の入札曲線図である。例えば、図５（Ａ）に示すように、ある地域には、２つの送電線（送電線１、送電線２）よりそれぞれＰＬｉｎ１、ＰＬｉｎ２の電力が流入することにより合わせてＰＬｉｎ１＋ＰＬｉｎ２の電力が流入し、１つの送電線（送電線３）よりＰＬｏｕｔ３の電力が流出していると仮定する。
【００４３】
この場合、例えば、式１に示すように、需要Ｐは、その地域内の需要Ｐ０と、連系する各々の送電線の流出入量の合計ΣＰＬにより計算することができる。ここで、送電線を通過する電力合計ΣＰＬの符号は、潮流がその地域から流出する向きを正、流入する向きを負とする。式１より求められる連系を考慮した需要Ｐと、その地域の供給とが均衡した点が、その地域の最適な取引量と価格となる。
【数１】
Ｐ＝Ｐ０±ΣＰＬ＝Ｐ０−（ＰＬｉｎ１＋ＰＬｉｎ２）＋ＰＬｏｕｔ３…（式１）
【００４４】
なお、図５（Ｂ）は、ある地域における需要が、その地域内の需要Ｐ０と送電線３によって他の地域に流出するＰＬｏｕｔ３の場合の入札曲線図であり、図５（Ｃ）は、ある地域における需要が、その地域内の需要Ｐ０と送電線１及び送電線２によって他の地域から流入するＰＬｉｎ１＋ＰＬｉｎ２の場合の入札曲線図である。さらに、図５（Ｄ）は、ある地域における需要が、その地域内の需要Ｐ０と、送電線３によって他の地域に流出するＰＬｏｕｔ３と、送電線１及び送電線２によって他の地域から流入するＰＬｉｎ１＋ＰＬｉｎ２の場合の入札曲線図である。これら図５（Ｂ）〜（Ｄ）に示したように、入札条件や系統制約の違いによって、価格均衡点は大きく変動する。
【００４５】
以上のように、異なる条件下における入札曲線図を表示することにより、ユーザは、入札条件の違いや系統制約が落札結果にどのように影響するか、その関係を容易に把握することができるようになる。
【００４６】
（１−６）画面表示例−３
図６は、前記表示手段３によって表示された落札価格の時間変化９と、電力需要と取引量の時間変化１０を示す図である。なお、落札価格の時間変化９は、１日分の地域別の落札価格をグラフとして示したものであり、電力需要と取引量の時間変化１０は、１日分の電力需要と電力取引量を示したものである。
なお、図６の電力需要と取引量の時間変化１０では、全地域を積み上げグラフで表示しているが、各地域の需要、各地域の取引量、またはその組み合わせを表示しても良い。
【００４７】
以上のように、落札価格の時間変化と対比して、電力需要と取引量の時間変化を表示することにより、ユーザは、ある入札条件に対して、電力需要と取引量が落札結果にどのように影響するか、その関係を容易に把握することができるようになる。
【００４８】
（１−７）画面表示例−４
図７は、前記表示手段３による画面表示例であり、上述した電力系統構成図７、入札曲線図８、落札価格の時間変化９、需要曲線と取引量の時間変化１０を、一括表示したものである。なお、これらの他に、発電機ごとの起動停止状態を、例えば一覧表の状態で表示しても良い。
【００４９】
以上のように、電力系統図上に、送電線の混雑状態や潮流の向きと対比して電力取引価格を表示し、入札曲線図を表示し、落札価格の時間変化と対比して電力需要と取引量の時間変化を表示し、発電機ごとの起動停止状態を表示することにより、ユーザは、ある入札条件に対して、送電線の混雑度合いや発電機の起動・停止等の制約が落札結果にどのように影響するか、その因果関係を容易に把握することができるようになる。その結果、どの入札戦略が最適なものであるかを柔軟に評価することができるようになる。
【００５０】
（１−８）画面表示例−５
図８は、前記表示手段３による画面表示例であり、取引時刻断面ごとの結果を連続してアニメーション表示したものである。前記演算手段４は、１日分の入札データに基づいて、１日分の電力取引価格と取引量を演算しており、図８には、演算手段４による演算結果を表示手段３に連続表示したもののうち、２１時、２２時、２３時の表示を示している。
【００５１】
以上のように、取引時刻断面ごとの結果を連続してアニメーション表示することにより、ユーザは、ある入札条件に対して、電力需要等の時間変化が落札結果にどのように影響するか、その関係を迅速に把握することができるようになる。
【００５２】
（２）第２実施形態
（２−１）構成
本実施形態は、上記第１実施形態の変形例であって、図９に示すように、インターフェース６に、実際の市場データを随時取り込む市場データ取得手段２０を追加したものである。そして、この市場データ取得手段２０を介して取り込んだ実際の市場データを、前記保存手段５に保存し、前記表示手段３により表示する構成となっている。なお、実際の市場データとは、実際の市場の系統データ、入札情報、市場価格等のデータをいう。
【００５３】
（２−２）作用
図１０は、本実施形態の電力取引価格予測システムを用いた場合の、データ入力から結果表示までの処理手順を示したフローチャートである。
【００５４】
まず、ステップＳ１００１において、新たなシナリオを作成するか否かを判断し、新たなシナリオを作成する場合には、データ入力手段１によりデータ入力を行い（ステップＳ１００２）、シナリオ設定手段２により新たなシナリオを作成し、データ保存手段５に登録する（ステップＳ１００３）。
【００５５】
一方、ステップＳ１００１において新たなシナリオを作成しないと判断した場合には、ステップＳ１００４に進み、シナリオ設定手段２により、データ保存手段５に登録されているシナリオの中から所望のシナリオを選択する。
【００５６】
そして、作成・登録あるいは選択したシナリオに基づいて、演算手段４により電力の取引価格と取引量を算出し（ステップＳ１００５）、この演算結果をデータ保存手段５に保存する（ステップＳ１００６）。
【００５７】
続いて、ステップＳ１００７において、実際の市場データを取得するか否かを判断し、取得する場合には、随時、実際の市場データを取得し（ステップＳ１００８）、表示手段３により、シナリオに基づく演算結果・その計算条件及び実際の市場データを表示する（ステップＳ１００９）。一方、実際の市場データを取得しないと判断した場合には、ステップＳ１００９に進み、表示手段３により、シナリオに基づく演算結果とその計算条件を表示する（ステップＳ１００９）。
【００５８】
さらに、計算条件を変更して別のシミュレーションを実行するために、ステップＳ１０１０において、データを変更・修正するか否かを判断し、データを変更・修正する場合には、ステップＳ１００２へ戻り、データ入力手段１によりデータの変更・修正を行う。一方、ステップＳ１０１０においてデータを変更・修正しないと判断した場合には、ステップＳ１０１１に進み、シナリオを変更するか否かを判断する。シナリオを変更する場合には、ステップＳ１００４へ戻り、データ保存手段５に登録された別のシナリオを選択し、ステップＳ１００５〜Ｓ１０１１までの処理を繰り返す。一方、ステップＳ１０１１において、シナリオも変更しないと判断した場合には、所望のシミュレーション結果が得られたとして、本システムを用いた処理を終了する。
【００５９】
（２−３）効果
以上のように、本実施形態によれば、上記第１実施形態と同様の効果が得られるだけでなく、実際の市場データを取得して、シナリオに基づくシミュレーション結果と共に表示することにより、シナリオに基づく予測結果と実際の市場取引の結果とを容易に比較することができる。また、本発明に係る取引価格予測システムを用いて得られた予測結果と、実際の市場取引の結果との整合性の評価を、タイムリーに行うこともできる。
【００６０】
（３）第３実施形態
（３−１）構成
本実施形態は、上記第１実施形態の変形例であって、図１１に示すように、シナリオ設定手段２に比較シナリオ選択部２３を追加したものである。
【００６１】
（３−２）作用
図１２は、本実施形態の電力取引価格予測システムを用いた場合の、データ入力から結果表示までの処理手順を示したフローチャートである。
【００６２】
まず、ステップＳ１２０１において、新たなシナリオを作成するか否かを判断し、新たなシナリオを作成する場合には、データ入力手段１によりデータ入力を行い（ステップＳ１２０２）、シナリオ設定手段２により新たなシナリオを作成し、データ保存手段５に登録する（ステップＳ１２０３）。
【００６３】
一方、ステップＳ１２０１において新たなシナリオを作成しないと判断した場合には、ステップＳ１２０４に進み、シナリオ設定手段２により、データ保存手段５に登録されているシナリオの中から所望のシナリオを選択する。
【００６４】
続いて、ステップＳ１２０５において、比較シナリオを選択するか否かを判断し、比較シナリオを選択する場合には、シナリオ設定手段２により、データ保存手段５に登録されているシナリオの中から、比較したいシナリオを選択して（ステップＳ１２０６）、ステップＳ１２０７に進む。
【００６５】
一方、比較シナリオを選択しないと判断した場合には、ステップＳ１２０７に進み、作成・登録あるいは選択した各シナリオに基づいて、演算手段４により電力の取引価格と取引量を算出し（ステップＳ１２０７）、それぞれの演算結果をデータ保存手段５に保存する（ステップＳ１２０８）。
【００６６】
続いて、ステップＳ１２０９において、これらの演算結果を対比して表示するか否かを判断し、１つのシナリオの演算結果を表示する場合には、ステップＳ１２１０に進み、１つのシナリオの演算結果及びその計算条件を表示する。
【００６７】
さらに、計算条件を変更して別のシミュレーションを実行するために、ステップＳ１２１１において、データを変更・修正するか否かを判断し、データを変更・修正する場合には、ステップＳ１２０２へ戻り、データ入力手段１によりデータの変更・修正を行う。
【００６８】
一方、ステップＳ１２１１においてデータを変更・修正しないと判断した場合には、ステップＳ１２１２に進み、シナリオを変更するか否かを判断する。シナリオを変更する場合には、ステップＳ１２０４へ戻り、データ保存手段５に登録された別のシナリオを選択し、ステップＳ１２０５以降の処理を繰り返す。
【００６９】
また、ステップＳ１２０９において、複数の演算結果を対比して表示する場合には、複数のシナリオの演算結果及びその計算条件を対比して表示する（ステップＳ１２１３）。さらに、ステップＳ１２１４において、比較シナリオを変更するか否かを判断し、比較シナリオを変更する場合には、ステップＳ１２０６へ戻り、シナリオ設定手段２により、データ保存手段５に登録されているシナリオの中から、比較したい別のシナリオを選択し、ステップＳ１２０７以降の処理を繰り返す。
【００７０】
そして、ステップＳ１２１２において、シナリオを変更しないと判断した場合、また、ステップＳ１２１４において、比較シナリオを変更しないと判断した場合には、処理を終了する。
【００７１】
また、図１３は、電力供給側の入札データの一例を示したものであって、前記表示手段３に２つのシナリオに基づく演算結果を比較表示したものである。すなわち、Ａ〜Ｆの各地域別のグラフ上に、異なる２つのシナリオ（「基準シナリオ」と、燃料費が高騰した場合の「価格高騰シナリオ」）の落札価格を表示したものであり、比較評価を行い易くしている。なお、図１３では、落札価格を表示しているが、取引量や入札情報等、他のデータの比較図を表示しても良い。また、２つのシナリオの比較ではなく、複数シナリオの比較を行っても良い。
【００７２】
（３−３）効果
以上のように、本実施形態によれば、異なるシナリオに基づく演算結果を対比させて表示することにより、ユーザが入札条件や系統制約を変更した場合に、これらの変更や制約が電力取引にどのように影響するのかを容易に把握・評価することができるようになる。
【００７３】
（４）第４実施形態
（４−１）構成
本実施形態は、上記第２実施形態と第３実施形態を組み合わせたものであって、図１４に示すように、インターフェース６に、実際の市場データを取り込む市場データ取得手段２０を追加し、シナリオ設定手段２に比較シナリオ選択部２３を追加したものである。
【００７４】
（４−２）作用
図１５は、本実施形態の電力取引価格予測システムを用いた場合の、データ入力から結果表示までの処理手順を示したフローチャートである。
【００７５】
まず、ステップＳ１５０１において、新たなシナリオを作成するか否かを判断し、新たなシナリオを作成する場合には、データ入力手段１によりデータ入力を行い（ステップＳ１５０２）、シナリオ設定手段２により新たなシナリオを作成し、データ保存手段５に登録する（ステップＳ１５０３）。
【００７６】
一方、ステップＳ１５０１において新たなシナリオを作成しないと判断した場合には、ステップＳ１５０４に進み、シナリオ設定手段２により、データ保存手段５に登録されているシナリオの中から所望のシナリオを選択する。
【００７７】
続いて、ステップＳ１５０５において、比較シナリオを選択するか否かを判断し、比較シナリオを選択する場合には、シナリオ設定手段２により、データ保存手段５に登録されているシナリオの中から、比較したいシナリオを選択して（ステップＳ１５０６）、ステップＳ１５０７に進む。
【００７８】
一方、比較シナリオを選択しないと判断した場合には、ステップＳ１５０７に進み、作成・登録あるいは選択した各シナリオに基づいて、演算手段４により電力の取引価格と取引量を算出し（ステップＳ１５０７）、それぞれの演算結果をデータ保存手段５に保存する（ステップＳ１５０８）。
【００７９】
続いて、ステップＳ１５０９において、実際の市場データを取得するか否かを判断し、取得する場合には、実際の市場データを取得し（ステップＳ１５１０）、ステップＳ１５１１に進む。一方、実際の市場データを取得しないと判断した場合には、ステップＳ１５１１に進み、これらの演算結果を対比して表示するか否かを判断し、１つのシナリオの演算結果を表示する場合には、ステップＳ１５１２に進み、１つのシナリオの演算結果・その計算条件及び実際の市場データを表示する。
【００８０】
さらに、計算条件を変更して別のシミュレーションを実行するために、ステップＳ１５１３において、データを変更・修正するか否かを判断し、データを変更・修正する場合には、ステップＳ１５０２へ戻り、データ入力手段１によりデータの変更・修正を行う。
【００８１】
一方、ステップＳ１５１３においてデータを変更・修正しないと判断した場合には、ステップＳ１５１４に進み、シナリオを変更するか否かを判断する。シナリオを変更する場合には、ステップＳ１５０４へ戻り、データ保存手段５に登録された別のシナリオを選択し、ステップＳ１５０５以降の処理を繰り返す。
【００８２】
また、ステップＳ１５１１において、複数の演算結果を対比して表示する場合には、複数のシナリオの演算結果・その計算条件及び実際の市場データを対比して表示する（ステップＳ１５１５）。さらに、ステップＳ１５１６において、比較シナリオを変更するか否かを判断し、比較シナリオを変更する場合には、ステップＳ１５０６へ戻り、シナリオ設定手段２により、データ保存手段５に登録されているシナリオの中から、比較したい別のシナリオを選択し、ステップＳ１５０７以降の処理を繰り返す。
【００８３】
そして、ステップＳ１５１４において、シナリオを変更しないと判断した場合、また、ステップＳ１５１６において、比較シナリオを変更しないと判断した場合には、処理を終了する。
【００８４】
（４−３）効果
以上のように、本実施形態によれば、実際の市場データを取得して、シナリオに基づくシミュレーション結果と共に表示することにより、シナリオに基づく予測結果と実際の市場取引の結果とを容易に比較することができる。また、本発明に係る取引価格予測システムを用いて得られた予測結果と、実際の市場取引の結果との整合性の評価を、タイムリーに行うこともできる。
【００８５】
（５）他の実施形態
上述した各実施形態において記載した手法は、コンピュータで実行させることのできるプログラムとして、例えば磁気ディスク（フレキシブルディスク、ハードディスク等）、光ディスク（ＣＤ−ＲＯＭ、ＤＶＤ等）、半導体メモリ等の記録媒体に書き込んで各種装置に適用したり、そのプログラム自体をネットワーク等の伝送媒体により伝送して各種装置に適用することも可能である。そして、コンピュータは、記録媒体に記録されたプログラムあるいは伝送媒体を介して提供されたプログラムを読み込み、このプログラムによって上述した処理を実行する。
【００８６】
【発明の効果】
以上述べたように、本発明によれば、系統制約や入札条件の相違による取引結果の違いを容易にシミュレートすることができ、そのシミュレーション結果を容易に把握できるように表示することができる電力取引価格予測システム、電力取引価格予測方法及び電力取引価格予測用プログラムを提供することができる。
【図面の簡単な説明】
【図１】本発明に係る電力取引価格予測システムの第１実施形態の構成を示すブロック図である。
【図２】本発明に係る電力取引価格予測システムの第１実施形態における処理の流れを示すフローチャートである。
【図３】画面表示例を示す図である。
【図４】画面表示例を示す図である。
【図５】画面表示例を示す図であって、（Ａ）は、ある地域における送電線の連系状態を示す図、（Ｂ）〜（Ｄ）は、異なる条件下における入札曲線図を示す図である。
【図６】画面表示例を示す図である。
【図７】画面表示例を示す図である。
【図８】画面表示例を示す図である。
【図９】本発明に係る電力取引価格予測システムの第２実施形態の構成を示すブロック図である。
【図１０】本発明に係る電力取引価格予測システムの第２実施形態における処理の流れを示すフローチャートである。
【図１１】本発明に係る電力取引価格予測システムの第３実施形態の構成を示すブロック図である。
【図１２】本発明に係る電力取引価格予測システムの第３実施形態における処理の流れを示すフローチャートである。
【図１３】画面表示例を示す図である。
【図１４】本発明に係る電力取引価格予測システムの第４実施形態の構成を示すブロック図である。
【図１５】本発明に係る電力取引価格予測システムの第４実施形態における処理の流れを示すフローチャートである。
【図１６】従来技術を説明する図である。
【符号の説明】
１…データ入力手段
２…シナリオ設定手段
２１…作成・登録部
２２…選択部
２３…比較シナリオ選択部
３…表示手段
４…演算手段
５…データ保存手段
６…インターフェース
７…電力系統構成図
８…入札曲線図
９…落札価格の時間変化
１０…電力需要と取引量の時間変化
２０…市場データ取得手段
【図１】
2005025377.tif 000003
【図２】
2005025377.tif 000004
【図３】
2005025377.tif 000005
【図４】
2005025377.tif 000006
【図５】
2005025377.tif 000007
【図６】
2005025377.tif 000008
【図７】
2005025377.tif 000009
【図８】
2005025377.tif 000010
【図９】
2005025377.tif 000011
【図１０】
2005025377.tif 000012
【図１１】
2005025377.tif 000013
【図１２】
2005025377.tif 000014
【図１３】
2005025377.tif 000015
【図１４】
2005025377.tif 000016
【図１５】
2005025377.tif 000017
【図１６】
2005025377.tif 000018